(57)【要約】【課題】  迅速かつ簡単に、さらに安全かつ確実に荷物巻付け等の作業をできる巻取り装置付きバンドを提供することにある。【解決手段】  バンド１０と、バンド１０を引き出し，引き込み自在に収納する巻取り装置２０とを備えた巻取り装置付きバンドであって、巻取り装置２０は、バンド軸４０と、バンド軸４０に対してバンド１０を常時引き込む回転方向にテンションを加えるテンション付与機構５０と、バンド１０の任意の引き出し位置でバンド軸４０の回転を規制する回転ロック機構６０と、回転ロック機構６０をロック状態とロック開放状態に選択的に切り替える切り替え操作機構７０と、引き出したバンド１０の先端を引っ掛けて折り返し可能とする折り返し部材７１とを備え、一方、バンド１０には、折り返した部分が重なる部分を着脱自在に固定することを可能とする面状ファスナ１１が設けられていることを特徴とする。【選択図】    図１
2007204121.tif 000002
【特許請求の範囲】
【請求項１】
バンドと、該バンドを引き出し，引き込み自在に収納する巻取り装置とを備えた巻取り装置付きバンドであって、
前記巻取り装置は、
バンドの一端が固定され巻取り装置本体に回転自在に支持されたバンド軸と、
該バンド軸に対してバンドを常時引き込む方向にテンションを加えるテンション付与手段と、
バンドの任意の引き出し位置でバンドが引き出し方向にも引き込み方向にも動かないようにバンド軸の回転を規制する回転ロック手段と、
該回転ロック手段をロック状態とロック開放状態に選択的に切り替える切り替え操作手段と、
引き出したバンドの先端部を引っ掛けて折り返し可能とする折り返し部材とを備え、
一方、前記バンドには、折り返した部分が重なる部分を着脱自在に固定することを可能とする固定手段が設けられていることを特徴とする巻取り装置付きバンド。
【請求項２】
前記切り替え操作手段を、前記回転ロック手段がロック状態にて切り替え操作不能に固定するセイフティロック手段を備えていることを特徴とする請求項１に記載の巻取り装置付きバンド。
【請求項３】
バンド軸は異形断面形状の中空軸で、
テンション付与手段は、前記バンド軸の中空内部に挿入されるシャフトと、該シャフトに装着されるスプリングとを備え、
前記スプリングの一端をシャフトに取り付けられる移動カラーに固定すると共に、前記スプリングの他端をシャフトに固定し、
前記移動カラーは、シャフトに対しては相対回転可能でかつ軸方向に相対移動自在とし、中空のバンド軸内周に対しては相対回転不能でかつ軸方向に相対移動自在とし、
前記シャフトの端部を装置本体に対して相対回転不能に係合したことを特徴とする請求項１に記載の巻取り装置付きバンド。
【請求項４】
回転ロック手段は、バンド軸に固定されバンド軸と共に回転するストッパ部を備えたストッパ付きカラーと、装置本体に支点を介して揺動自在に支持され一端部に前記ストッパ部と係合可能なロック部を備えたシーソー構造の爪部材とを備え、爪部材を揺動させることによってロック部をストッパ部に対して係合，離脱する構成となっていることを特徴とする請求項１に記載の巻取り装置付きバンド。
【請求項５】
切り替え操作手段は、装置本体の軸方向両端部に回転自在に支持されるハンドルレバーと、該ハンドルレバーの自由端部に連結されバンド軸と所定間隔を隔てて配置されるハンドルとを備え、
ハンドルはロック位置とロック開放位置間を移動自在となっており、ロック位置におけるハンドルレバーによって爪部材の支点を隔ててロック部側の端部を押してロック部をストッパ部に係合させ、ロック開放位置にて爪部材の支点を隔ててロック部と反対側の端部を押してロック部をストッパ部から離脱させる構成となっている請求項４に記載の巻取り装置付きバンド。
【請求項６】
前記ハンドルが折り返し部材となっている請求項５に記載の巻取り装置付きバンド。
【請求項７】
ストッパ部とロック部の当接面は、噛み合った際に作用する力が半径方向内向きのベクトル成分を有する形状となっている請求項５に記載に巻取り装置付きバンド。
【請求項８】
切り替え操作手段のハンドルをロック位置及びロック開放位置に強制的に保持するためのハンドル位置保持手段を有し、該ハンドル位置保持手段は、ロック位置とロック開放位置間に思案点を有する保持レバーと、該保持レバーと前記切り替え操作手段のハンドルレバーとの間に装着される引張状態のスプリングとを備えた構成となっている請求項５に記載の巻取り装置付きバンド。
【請求項９】
装置本体は、巻取り軸の両端を挟むように配置される一対のホルダを備えた構成で、前記回転ロック手段及び切り替え操作手段は各ホルダそれぞれに設けられている請求項１乃至８のいずれかの項に記載の巻取り装置付きバンド。
【請求項１０】
装置本体には、各種取付ブラケットを固定するための取付ベース部材が設けられている請求項１乃至９に記載の巻取り装置付きバンド。
【発明の詳細な説明】
【技術分野】
【０００１】
本発明は、たとえば、パレットに積載される荷物を束ねて荷崩れを防止するバンドに関し、特に巻取り装置を備えた巻取り装置付きバンドに関する。
【背景技術】
【０００２】
現在、各種荷物の輸送は、倉庫で荷物を荷役用のパレットに積み上げ、積み上げた荷物の外周にラップフィルムを巻き付けて束ね、束ねた状態でトラックに積載して送り先まで運搬するようになっている。
しかし、巻付けたラップフィルムを剥がす作業に手間がかかる。また、使用するラップフィルムの量が膨大で、しかも大部分がリサイクルに回らずに廃棄されている現状であり、資源の浪費につながると共に、廃棄されるラップフィルムによる周辺環境に対する負荷も大きいという問題があった。
そこで、本出願人等は、何回も使い回しできるバンドを用い、従来のフィルムと同様に簡単に荷物を束ねることができる荷物結束方法の開発を進めてきた。
なお、従来のラップフィルムを用いた荷物の結束方法としてはたとえば、特許文献１に記載のようなものがある。
【特許文献１】特開平５−８５５０４号
【発明の開示】
【発明が解決しようとする課題】
【０００３】
本発明は、繰り返し使用できるバンドを用いた荷物結束方法の開発の一環としてなされたもので、その目的とするところは、人手によって、迅速かつ簡単に、さらに安全かつ確実に荷物を結束できる巻取り装置付きバンドを提供することにある。
【課題を解決するための手段】
【０００４】
上記目的を達成するために、請求項１に記載の発明は、バンドと、該バンドを引き出し，引き込み自在に収納する巻取り装置とを備えた巻取り装置付きバンドであって、
前記巻取り装置は、バンドの一端が固定され巻取り装置本体に回転自在に支持されたバンド軸と、該バンド軸に対してバンドを常時引き込む方向にテンションを加えるテンション付与手段と、バンドの任意の引き出し位置でバンドが引き出し方向にも引き込み方向にも動かないようにバンド軸の回転を規制する回転ロック手段と、回転ロック手段をロック状態とロック開放状態に選択的に切り替える切り替え操作手段と、引き出したバンドの先端部を引っ掛けて折り返し可能とする折り返し部材とを備え、
一方、前記バンドには、折り返した部分が重なる部分を着脱自在に固定することを可能とする固定手段が設けられていることを特徴とする。
【０００５】
請求項２に係る発明は、切り替え操作手段を、前記回転ロック手段がロック状態にて切り替え操作不能に固定するセイフティロック手段を備えていることを特徴とする。
請求項３に係る発明は、バンド軸は異形断面形状の中空軸で、テンション付与手段は、前記バンド軸の中空内部に挿入されるシャフトと、該シャフトに装着されるスプリングとを備え、前記スプリングの一端をシャフトに取り付けられる移動カラーに固定すると共に、前記スプリングの他端をシャフトに固定し、前記移動カラーは、シャフトに対しては相対回転可能でかつ軸方向に相対移動自在とし、中空のバンド軸内周に対しては相対回転不能でかつ軸方向に相対移動自在とし、前記シャフトの端部を装置本体に対して相対回転不能に係合したことを特徴とする。
【０００６】
請求項４に係る発明は、回転ロック手段は、バンド軸に固定されバンド軸と共に回転するストッパ部を備えたストッパ付きカラーと、装置本体に支点を介して揺動自在に支持され一端部に前記ストッパ部と係合可能なロック部を備えたシーソー構造の爪部材とを備え、爪部材を揺動させることによってロック部がストッパ部に対して係合，離脱する構成となっていることを特徴とする。
請求項５に係る発明は、切り替え操作手段は、装置本体の軸方向両端部に回転自在に支持されるハンドルレバーと、該ハンドルレバーの自由端部に連結されバンド軸と所定間隔を隔てて配置されるハンドルとを備え、
ハンドルはロック位置とロック開放位置間を移動自在となっており、ロック位置におけるハンドルレバーによって爪部材の支点を隔ててロック部側の端部を押してロック部をストッパ部に係合させ、ロック開放位置にて爪部材の支点を隔ててロック部と反対側の端部を押してロック部をストッパ部から離脱させる構成となっていることを特徴とする。
請求項６に係る発明は、ハンドルが折り返し部材となっている
【０００７】
請求項７に係る発明は、ストッパ部とロック部の当接面は、噛み合った際に作用する力が半径方向内向きのベクトル成分を有する形状となっている。
請求項８に係る発明は、切り替え操作手段のハンドルをロック位置及びロック開放位置に強制的に保持するためのハンドル位置保持手段を有し、該ハンドル位置保持手段は、ロック位置とロック開放位置間に思案点を有する保持レバーと、該保持レバーと前記切り替え操作手段のハンドルレバーとの間に装着される引張状態のスプリングとを備えた構成となっている。
請求項９に係る発明は、装置本体は、巻取り軸の両端を挟むように配置される一対のホルダを備えた構成で、前記回転ロック手段及び切り替え操作手段は各ホルダそれぞれに設けられている。
請求項１０に係る発明は、装置本体には、各種取付ブラケットを固定するための取付ベース部材が設けられていることを特徴とする。
【発明の効果】
【０００８】
本発明の巻取り装置付きバンドによれば、バンドを巻取り装置から必要長さだけ引き出し、切り替え操作手段を操作して回転ロック手段をロック状態としてバンドをロックし、荷物の巻付け等を行って、バンド先端部を折り返し部材に引っ掛けて折り返し、締め付け固定して使用できるので、バンドの全長内であれば、自由にバンドで品物を固定できる。
また、使用後は、切り替え操作手段によって回転ロック手段をロック開放状態とすれば、バンドはテンション付与手段の付勢力によって自動的に引き込まれるので、作業効率が高い。
以上の点から、設置さえできれば、荷役装置の一部として手軽，簡単に使用でき、作業
効率の向上を図ることができる。
【０００９】
請求項２に記載の発明によれば、セイフティロック手段を設けることにより、安全，確実にロックすることができる。
請求項３に記載の発明によれば、テンション付与手段として、スプリングの一端が固定される移動カラーがシャフトに対して軸方向に移動する構成となっているので、バンドの引き出し量の変化によってスプリングのねじり量が変動しても、移動カラーの移動によってスプリングがスムーズに伸縮変形し、バンドの引き出し，引き込みをスムーズに行うことができる。
請求項４に記載の発明によれば、ロック手段として、爪部材のロック部とストッパ付きカラーのストッパ部との係合によってバンド軸の回転をロックするようにしたので、確実にバンドの引き出し，引き込みをロックすることができる。
請求項５に記載の発明によれば、切り替え操作手段として、ハンドルがロック位置にて爪部材を押してロック部をストッパ部に係合させ、ロック開放位置にてロック部から離間する構成となっているので、ハンドル操作によって簡単にロック，ロック開放状態の切り替え操作を行うことができる。
請求項６に記載の発明によれば、操作用のハンドルをバンドの折り返し部材として用いることができ、装置構成を簡素化できる。
【００１０】
請求項７に記載の発明によれば、ストッパ部とロック部の当接面を、噛み合った際に作用する力が半径方向内向きのベクトル成分を有する形状とすることにより、確実にかみ合わせることができる。
請求項８に記載の発明によれば、保持レバーと切り替え操作手段のハンドルレバーとを連結する引張状態のスプリングのばね力によって、ハンドルをロック位置又はロック開放位置のいずれかの位置に保持することができ、確実に切り替えができ、また、作業効率向上を図ることができる。
請求項９に記載の発明によれば、バンド軸の両端を挟むように配置される一対のホルダそれぞれに、回転ロック手段及び切り替え操作手段を設けることにより、ベルトのロックをより確実、安全に行うことができる。
請求項１０に記載の発明によれば、ホルダに各種取付ブラケットを固定するための取付ベース部材が設けられているので、取付箇所に応じた適切な取付ブラケットを使用することにより、荷役用の種々の機器、設備等に取り付けることができる。
【発明を実施するための最良の形態】
【００１１】
以下に本発明を図示の実施例に基づいて詳細に説明する。
図１は本発明の一実施例に係る巻取り装置付きベルトを示すもので、１は巻取り装置付きバンド全体を示すもので、この巻取り装置付きバンド１は、バンド１０と、このバンド１０を引き出し，引き込み自在に収納する巻取り装置２０とを備えた構成となっている。
巻取り装置２０は、バンド１０を収納する装置本体３０と、バンド１０の一端が固定され巻取り装置本体３０に回転自在に支持されたバンド軸４０と、バンド軸４０に対してバンド１０を常時引き込む回転方向にテンションを加えるテンション付与機構５０と、バンド１０の任意の引き出し位置でバンド１０が引き出し方向にも引き込み方向にも動かないようにバンド軸４０の回転を規制する回転ロック機構６０と、回転ロック機構６０をロック状態とロック開放状態に選択的に切り替える切り替え操作機構７０と、引き出したバンド１０の先端を引っ掛けて折り返し可能とする折り返し部材を構成するハンドル７１とを備えている。また、切り替え操作機構７０には、回転ロック機構６０がロック状態にて切り替え操作不能に固定するセイフティロック機構８０が設けられている。
【００１２】
バンド１０は、図５に示すように、布製の平ベルトで、ゴム等により伸縮性を持たせることが望ましい。また、取り扱いやすくするために軽量化することが望ましい。バンド１０の一端はバンド軸４０を介して装置本体３０に固定され、図１２に示すように、他端をハンドル７１に通して折り返すことによりバンド１０を締め付ける構成で、バンド１０の折り返し部を荷物等に巻き付いたバンド部分に着脱自在に固定する固定手段としての面状ファスナ１１が設けられている。また、バンド１０の先端部１４には先端軸１３が挿入されて剛性を高めると共に肉厚が厚くなっている。
【００１３】
装置本体３０は、バンド軸４０の両端を挟むように配置される一対の第１ホルダ３１及び第２ホルダ３２を備えた構成で、第１ホルダ３１と第２ホルダ３２が複数本、本実施例では４本の支柱３３によって剛結されている。
回転ロック機構６０及び切り替え操作機構７０は第１ホルダ３１と第２ホルダ３２それぞれに設けられている。
【００１４】
第１ホルダ３１と第２ホルダ３２は、図２及び図３に示すように、基本的な構成が同一構成なので、ここでは下方の第２ホルダ３２について説明し、第１ホルダ３１については、第２ホルダ３２と同一の構成部分については同一の符号を付して、その説明は省略する。
第２ホルダ３２は有底円筒形状で、円板状の端壁３５と、端壁３５の周縁から立ち上がる円筒形状の周壁部３６とを備えている。周壁部３６の内周は開口側から端壁３５に向かって３段階に小径となる段付き構成となっている。すなわち、端壁３５に面する第１段部３６１の内径が最も小さく、開口側の第３段部３６３の内径が最も大きく、中間の第２段部３６２の内径が中間的な大きさとなっている。
第１ホルダ３１の周壁部３６には内周側の第２段部３６２に対応する位置に、内周側と外周側を貫通し周方向に所定寸法延びる長孔３６４が設けられている。
【００１５】
上記支柱３３は第３段部３６３の底面にボルトによって締め付け固定されている。
また、第１ホルダ３１と第２ホルダ３２間には、バンド１０の引き出し，引き込み口を構成する一対のロール軸３４，３４が設けられている。ロール軸３４，３４はバンド１０が通る程度の隙間を有し、その両端が第１ホルダ３１と第２ホルダ３２に設けられた穴に固定せずに差し込まれるだけで、回転可能に支持されている。ロール軸３４，３４の位置は、ロック位置のハンドル７１とほぼ直角方向に配置されている。
また、この第３段部３６３にはバンド軸４０に巻き取られるバンド１０の端部を支持する回転受け３７が装着されている。回転受け３７は中央にバンド軸４０が通る穴３７１を備えた円板形状で、穴３７１の大きさは回転するバンド軸４０と干渉しない大きさに設定されている。
【００１６】
バンド軸４０は内周が異形断面形状の中空軸で、その両端開口部に第１プラグ４１と第２プラグ４２が固定されている。この実施例ではバンド軸４０は四角筒形状であるが、四角形状には限定されず、内周側からトルクが伝達できるような形状であればよい。
バンド軸４０に近接して弛み止めシャフト４５がバンド軸４０と平行に延びており、バンド軸４０に挿通されたバンドをバンド軸４０の外側面に押さえて弛み止めを図っている。
【００１７】
第１プラグ４１および第２プラグ４２は、ベアリングが装着される回転軸部４１１，４２１と、両端開口部に嵌着固定される嵌合部４１２，４２２とを備え、回転軸部４１１，４２１と嵌合部４１２，４２２の間にフランジ部４１３，４２３が張り出してバンド軸４０の開口端に係合している。一方の第２プラグ４２にはシャフト穴４２４が貫通形成されている。
回転軸部４１１，４２１は、第１，第２ホルダ３１，３２にベアリング４３，４３を介して回転自在に支持されている。ベアリング４３，４３は第１，第２ホルダ３１，３２の端壁３５に面する第１段部３６１に装着される。
【００１８】
テンション付与機構５０は、図３（Ａ），図４，図６に示すように、バンド軸４０の中空内部にバンド軸４０と同軸的に相対回転自在に挿入されるシャフト５１と、シャフト５１に装着されるコイルスプリング５２とを備えた構成で、コイルスプリング５２のねじり方向の弾発力を利用する構成である。
コイルスプリング５２の一端はシャフト５１に取り付けられる移動カラー５３に固定すると共に、コイルスプリング５２の他端は固定カラー５４を介してシャフト５１に固定される。移動カラー５３は、シャフト５１に対しては相対回転可能でかつ軸方向に相対移動自在となっており、中空のバンド軸４０内周に対しては相対回転不能でかつ軸方向に相対移動自在となっている。また、シャフト５１のの端部を装置本体３０に対して相対回転不能に係合されている。この例では、コイルスプリング５２をバンド巻取り方向と反対側に所定量ねじった状態でシャフト５２の端部を装置本体３０に対して係合し、巻取り方向のテンションを付与している。
コイルスプリング５２は、バンドが引き出されてねじり量が大きくなると軸方向に伸び、バンドが引き込まれてねじり量が小さくなると軸方向に収縮する。このバンドの引き出し量に応じたコイルスプリング５２の伸縮を、移動カラー５３の移動によって吸収している。
【００１９】
移動カラー５３はコイルスプリング５２の第２端部が嵌着されるスプリング嵌着部５３１と、バンド軸４０内周の隅角部に係合して相対回転を規制する回り止め部５３２とを備えている。スプリング嵌着部５３１は円筒形状で端部にはスプリング５２の抜け止めを図るための凸部５３３が突設されている。回り止め部５３２は、断面四角形状のバンド軸４０に合わせて中心部から半径方向外方に向かって延びる突片５３４を備えている。突片５３４の先端部は円弧形状に丸められており、バンド軸４０内周面との接触摩擦をなるべく小さくしている。バンド軸４０内周の４つの隅角部に接触する四つの突片５３４によってシャフト５１をバンド軸４０の中心軸上に位置するように支持している。
また、コイルスプリング５２の他端は、固定カラー５４を介してシャフト５１に対して回転方向にも軸方向にも移動不能に固定される。固定カラー５４はボルト５５によってシャフト５１に固定される。
【００２０】
一方、シャフト５１の一端は、バンド軸４０の一端に固定された第２プラグ４２及び第２ホルダ３２に設けられたシャフト穴３２１に挿通されて第２ホルダ３２のシャフト穴３２１から外部に露出し、露出したシャフト端部には、回り止めピン５６が固定されている。この回り止めピン５６は軸方向に対して直交方向に延びており、第２ホルダ３２のシャフト穴３２１の外側の開口部を横切るように形成された溝３２２に係合離脱自在となっている。
シャフト５１の他端は中空のバンド軸４０の第１プラグ４１の端面近傍まで伸びており、第２プラグ４２端面とは所定距離だけ離間している。また、シャフト５１の第２端部付近には移動カラー５３の抜け止め用のクリップ５７が設けられている。
シャフト５１，固定カラー５４及びコイルスプリング５２の片端末は、第２ホルダ３２に固定する。一方、バンド軸４０、バンド軸４０内の移動カラー５３及びスプリング片端末、弛み止めシャフト４５、第１，第２プラグ４１，４２、移動カラー５３、固定カラー５４、以上７部品がバンド軸４０と一体回転する。以上の設定により、バンド１０を引き出すと、コイルスプリング５２がねじれ、逆方向（引き込み方向）のテンションが加わり、バンド１０及びバンド軸４０を開放すると、コイルスプリング５２が元に戻ろうとし、バンド１０を引き込む。
【００２１】
回転ロック機構６０は、主として図４及び図７に示すように、バンド軸４０の両端に固定されバンド軸４０と共に回転するストッパ部６２を備えたストッパ付きカラー６１と、装置本体３０に支点を介して揺動自在に支持され一端部に前記ストッパ部６２と係合可能なロック部６４を備えたシーソー構造の爪部材６３とを備え、爪部材６３を揺動させることによってロック部６４がストッパ部６２に対して係合，離脱する構成となっている。
ストッパ付きカラー６１は、図２乃至図４に示すように、上下の回転受け３７，３７と第１，第２プラグ４１，４２のフランジ部４１３，４２３の間に装着される。また、このストッパ付きカラー６１と回転受け３７の間に、円盤状の回転カラー６５が介装され、ストッパ付きカラー６１が直接回転受け３７に接触しないように構成されている。ストッパ付きカラー６１及び回転カラー６５には四角筒形状のバンド軸４０が嵌着される四角形状の穴が設けられ、バンド軸４０と一体的に回転する。回転カラー６５は回転受け３７に設けられた円形の段凹部３７ａに回転自在に装着されている。
図７中、破線で示すように、ロック部６４がストッパ部６２から離脱したストッパ付きカラー６１開放時は、引き出し，引き込み共に動作可能であり、実線で示すように、ロック部６４がストッパ部６２に係合したストッパ付きカラー６１固定時は、バンド１０を任意の長さで固定できる。引き込み方向には、約１回転反転後、ストッパ部６２がロック部６４の反対面に当接して固定される。
【００２２】
爪部材６３は、第１ホルダ３１の周壁３６に設けられた長孔３６４に、支点を構成する支軸６６を中心に所定角度だけ回動自在に取り付けられている。爪部材６３は、支軸６６に対して一方側に伸びるロック解除爪部６３１と、他方側に伸びるロック用爪部６３２とを備えており、ロック用爪部６３２にストッパ部６２に係合可能なロック部６４が設けられている。ロック解除爪部６３１とロック用爪部６３２は支軸６６の部分が谷となるように所定角度屈曲しており、一方の爪部が長孔３６４内に没入すると他方の爪部が長孔３６４から外部に突出するようなシーソー構成となっている。
ロック解除爪部６３１とロック用爪部６３２の先端部６３１ａ，６３２ａは、長孔３６４の周方向端縁に係合するようになっている。ロック解除爪部６３１が長孔３６４に没入して先端部６３１ａが長孔３６４の孔縁に係合した状態では、ロック用爪部６３２は長孔３６４から外部に突出してロック部６４が、ストッパ付きカラー６１に設けたストッパ部６２の回転領域から外側に外れ（図中、点線位置）、ロック用爪部６３２が長孔３６４３６４に没入して先端部６３２ａが長孔３６４の孔縁に係合した状態では、ロック部６４がストッパ部６２の回転領域内に入り込み、ロック解除爪部６３１が長孔３６４から外側に所定量突出する構成となっている（図中、実線位置）。
ロック解除爪部６３１とロック用爪部６３２の外周は円弧形状で、その外径Ｒ３１，Ｒ３２はホルダ外径より大径となっている。ロック解除爪部６３１とロック用爪部６３２の先端部６３１ａ，６３２ａの内周面はホルダ外周面に面接触するように、その内径Ｒ３１ａ，Ｒ３２ａはホルダ外径と同一径となっている。また、ロック解除爪部６３１とロック用爪部６３２の支軸６６側の内周はホルダ内周Ｒより若干大きい内径Ｒ３１ｉ，Ｒ３２ｉを有する円弧形状に成形されている。
【００２３】
ストッパ部６２とロック部６４との当接部は、バンドの引き出し方向の回転を規制する第１当接部６２１，６４１と、第１当接部６２１，６４１とは周方向反対側に位置しバンド１０の引き込み方向の回転を規制する第２当接部６２２，６４２とを有する。
ストッパ部６２とロック部６４の第１当接部６２１，６４１と第２当接部６２２，６４２のいずれも、噛み合った際に作用する力のベクトルが半径方向内向きの成分を有する形状となっている。図示例では、第１当接部６２１，６４１は直線状で、回転中心を通る中心線に対して、内径側から外径側に向かうにつれてバンドの引き出し方向に位相が進むように所定角度斜めに傾斜している。また、第２当接部６２２，６４２は、逆に、回転中心を通る中心線に対して、内径側から外径側に向かうにつれてバンドの引き込み方向に位相が進むように所定角度斜めに傾斜している。
【００２４】
上記爪部材６３は、切り替え操作機構７０のハンドルレバー７２の操作により開放，固定に切り替わる。
切り替え操作機構７０は、主として図８に示すように、装置本体３０に軸方向両端部に回転自在に支持されたハンドルレバー７２と、ハンドルレバー７２の自由端部に連結されバンド軸４０と所定間隔を隔てて配置されるハンドル７１とを備え、ハンドル７１はロック位置Ｒとロック開放位置Ｆ間を移動する構成となっている。
ロック位置Ｒにおけるハンドルレバー７２によって爪部材６３のロック用爪部６３２を押してロック部６４をストッパ部６２に係合させ（図８（Ｂ）参照）、ロック開放位置Ｆにて反対側のロック開放用爪部６３１を押してロック部６４をストッパ部６２から離脱させる構成となっている（図８（Ａ）参照）。また、本実施例では、ハンドル７１がバンド１０を折り返す折り返し部材を兼用する構成となっている。
第１ホルダ３１及び第２ホルダ３２の外端面には円板状のレバー受け７５が取り付けられており、このレバー受け７５の中央に突出する支軸７６にハンドルレバー７２が回転自在に取り付けられている。ハンドル７１はバンド軸４０と平行に伸び、第１，第２ホルダ３１，３２から所定距離に離れた位置に位置している。
【００２５】
ハンドルレバー７２は、レバー受け７５の支軸７６からレバー受け７５の外径端付近まで半径方向外方に延びる第１片部７２１と、この第１片部７２１から第１ホルダ３１の外周側に直角に屈曲する屈曲片部７２２と、この屈曲片部７２２の端部から半径方向外方に向かって伸びる第２片部７２３とを備えており、この第２片部７２３の外径端部にハンドル７１の端部が固定されている。
ハンドル７１の長さは、第１，第２ホルダ３１，３２の回転受け３７，３７間の間隔とほぼ等しく、バンド７１が引っ掛け可能となっている。
ハンドルレバー７２の屈曲片部７２２は、第１ホルダ３１，３２の周壁部３６に取り付けられた爪部材６３のロック開放爪部６３１およびロック用爪部６３２に選択的に係合して第１ホルダ３１の内側に向かって押し込む構成となっている。
また、レバー受け部７５には、ロック位置及びロック開放位置で、ハンドルレバー７２の第１片部７２１に係合する一対のストッパピン７３，７４が設けられ、このストッパピン７３，７４間をハンドルレバー７２が回転する。
【００２６】
さらに、この例では、ハンドル７１をロック位置Ｒ及びロック開放位置Ｆでばね力によって強制的に保持するためのハンドル位置保持機構９０を有している。
ハンドル位置保持機構９０は、ロック位置Ｒとロック開放位置Ｆ間に思案点を有する保持レバー９１と、保持レバー９１と操作レバー７２とを連結する引張状態の保持スプリング９２とを備えた構成となっている。保持スプリング９２の一端はハンドルレバー７２の第１片部７２１に設けられたばね受け部９５に引っ掛けられ、他端が保持レバー９１に設けられたばね受け部９６に引っ掛けられている。
保持レバー９１は、その一端がレバー受け７５の支軸７６に、ハンドルレバー７２に重ねて回動自在に支持されており、支軸７６の端面に締め込まれる押さえボルト７７によって抜け止めが図られている。保持レバー９１の回動範囲は一対のロック側およびロック開放側ストッパピン９３，９４によって規制されている。
【００２７】
ロック開放位置Ｆでは、図８（Ａ）に示すように、保持スプリング９２のばね力によってハンドルレバー７２および保持レバー９１は共にそれぞれの開放側ストッパピン７３，９４に当接して位置決め保持されている。
【００２８】
この状態からハンドル７１を手前に引くと、ハンドルレバー７２が回転してスプリング受け９５も手前のロック位置側に移動する。ロック位置に移動する間に保持スプリング９２が徐々に引っ張られ、保持レバー９１側のスプリング受け９６と支軸７６の中心を通る直線上にハンドルレバー７２のスプリング受け９５が到達し（思案点）、直線を超えた時点で、保持スプリング９２のばね力によって、保持レバー９１およびハンドルレバー７２がロック位置側に付勢され、ロック側ストッパピン７４，９４に自動的に当接して自己保持される（図８（Ｂ））。
この間に、ハンドルレバー７２の屈曲片部７１２によって爪部材６３のロック用爪部６３２が内部に押し込まれ、ロック用爪部６３２のロック部６４片がストッパ付きカラー６１のストッパ部６２に係合して巻き戻りが規制される。このように、ハンドルレバー７２を手前に引くことで、ストッパ付きカラー６１の動作は連動してなされる。
【００２９】
セイフティロック機構８０は、図８，図９に示すように、ロック位置Ｒにおいて、確実にロック状態を維持するために設けられるもので、ハンドルレバー７２の屈曲片７２１に設けられ、屈曲片７２１からロックピン８２を第１ホルダ３１に設けられたセイフティロック穴８８に差し込んでロックするようになっている。
すなわち、セイフティロック機構８０は、ハンドルレバー７２に固定されたロックホルダ８１と、ロックホルダ８１に抜き差し自在に支持されるロックピン８２と、ロックピン８２の端部に設けられたロックハンドル８３と、ロックピン８２の先端部を常時ホルダ側に向かって突出させる方向に付勢するスプリング８４とを備えている。
【００３０】
ロックホルダ８１は、円筒部８１１と、円筒部８１１の固定端側に設けられる固定片８１２とを備えている。ロックピン８２は、円筒部８１１に挿し通される棒状部材で、ロックホルダ８１に面する先端部８２１が先端を丸めた円錐形状に成形され、他端が円筒部８１１から手前側に突出し、手前側中途部に円筒部８１１の開口端縁に係合するセットピン８５が設けられ、さらに端部にはロックピン８２を回転させるためのロックハンドル８３が取り付けられている。
セットピン８５は円筒部８１１の開口端に設けられたロック用スリット８６および開放用スリット８７に選択的に係合する。すなわち、ロック用スリット８６は開口端からスリット長さが長く、セットピン８５がスリットの奥まで進入した分、ロックピン８２の先端部８２１がホルダ側に突出する。
【００３１】
また、ロックホルダ８１の円筒部８１１の内周面はホルダ側が開口側より所定寸法大径となった段付き円筒形状で、大径側の穴内周にスプリング８４が装着され、スプリング８４の一端が段差部に係合する。一方、ロックピン８２の先端部８２１もスプリング８４が介装される軸部よりも大径となっており、スプリング８４の他端がロックピン８２の先端部８２１の断差部に係合している。
ロック状態では第１ホルダ３１の周壁３６上のセイフティロック用穴８８にロックピン８２を差し込む。
開放状態では、ロックピン８２をロックホルダ８１内に収納し、ロックハンドル８３を引き出して、回転させて開放用スリット８７に係止する。
【００３２】
次に、図１０を参照して、本発明の巻取り装置付きバンドの巻取り装置内にバンドを装
着する装着方法について説明する。
図１０（Ａ），（Ｂ）に示すように、リング形状としたバンド端末部１２をバンド軸４０に通し、ゆるみ止めシャフト４５を添える。
ゆるみ止めシャフト４５によって、図１０（Ｂ），（Ｃ）に示すように、バンド端末部１２をバンド軸４０との間に挟み込んで固定し、図１０（Ｄ），（Ｅ）に示すように、バンド１０をバンド軸４０に巻きつける。
【００３３】
この状態で、装置本体３０に、バンド軸４０、ゆるみ止めシャフト４５及びバンド１０を組み付ける。この時、図１０（Ｆ）に示すように、バンド１０の端末軸１３入りのバンド先端部１４をロール軸３４，３４間を通し、外側へ引き出す。
さらに、図１０（Ｇ）に示すように、シャフト５１を第２ホルダ３２の端壁３２１の下面より少し出し、バンド１０を引き込む方向へ回転させる。バンド先端部１４がロール軸３４，３４を押すまで回転する。この時点までは抵抗は小さいのでテンション付与機構５０のコイルスプリング５２のねじり量は小さい。バンド先端部１４がロール軸３４，３４に当接してバンド軸４０が回転しなくなった状態から、さらにシャフト４５を所定量回転させてコイルスプリング５２のねじり量を大きくし、初期状態の引き込みテンションを付与してバンド１０の弛みをとる。これにより、バンド先端部１４まで収納できるテンションが加わることになる。この状態で、シャフト４５下端部をシャフト穴３２１に押し込み、回り止めピン５６を第２ホルダ３２の端壁３５のシャフト穴３２１を横切る溝３２２に係合させてセットが終了する。
巻き取り装置２０の第１ホルダ３１及び第２ホルダ３２の端壁には、図５に示すように、設置箇所に対応して各種取付ブラケットを固定可能の取付ベース部材３８が組み付けられている。取付ベース部材３８は、図示例では、第１及び第２ホルダ３１，３２と同一径のカップ形状で、切換え操作機構７０及びセイフティロック機構８０を覆い隠し、円筒状の周壁部３８１下端がレバー受け３７に密接して、不図示のボルト等の固定具によって強固に固定される。周壁部３８１には切換え操作機構７０のハンドルレバー７２の移動を許容するための切欠き３８２が設けられている。
【００３４】
次に、図１１を参照して、本実施例の巻取り装置付きバンドの使用方法を説明する。
図１１（Ａ）は、巻取り装置２０を支柱１００に固定して使用する例を示している。図示例では、支柱１００の中途部が上下に分断され、上部柱部１００ａの下端と、下部柱部１００ｂの上端に、装置本体３０上下端の取付けベース部材３８，３８が連結されている。取付けベース部材３８と支柱１１１との連結は溶接等によって固定される。
図１１（Ａ）と図１１（Ｂ）は、バンド１０の収納状態(ハンドル７１はフリー位置)を示している。
バンド１０が巻取り装置２０のテンション付与機構５０のコイルスプリング５２により、引き込みテンションのかかった状態でバンド軸４０に巻き付けられている。このとき、バンドル７１はロック開放のフリー位置Ｆにある。
図１１（Ｃ）は収納状態でバンドを引き出した状態を示している(ハンドル７１はフリー位置)。
バンド１０はバンド長の続く限り、引き出すことが可能である。
引き出すことを止めれば(ハンドフリー)、テンション付与機構５０のコイルスプリング５２のばね力により引き込まれる。
【００３５】
図１１（Ｄ）はバンド長固定状態(ハンドル７１はロック位置Ｒ)を示している。
バンド１０を必要長さ引き出した後、ハンドル７１をロック位置Ｒへ移動することにより、バンド長が固定される。
このとき、セイフティロック機構８０のロックピン８２をロック穴８７に押し込んでセイフティロックをする。
図１１（Ｅ）はバンド長固定状態でバンド先端部１４をフリーにした状態を示している（ハンドル７１はロック位置Ｒ）。
この時、手を離してバンド先端部１４をフリー状態にしても、バンド１０は引き込まれない。テンショ付与機構５０のコイルスプリング５２のテンションによって少し戻るが、引き込み方向にすぐロックされる。したがって、バンド１０は引き出されたままの長さでロックされている。
【００３６】
図１１（Ｆ）はオートリターン(ハンドル７１はフリー位置Ｆ)させた状態を示している。
ハンドル７１は、ロック位置Ｒよりフリー位置Ｆへ移動する。
この時、バンド１０はテンション付与機構５０のスプリング５２により、収納状態に移行し、バンド１０は収納される。
以上の手順により、バンド１０の長さにかかわらず、バンド１０全長より短くてもロックでき、荷物の大小を問わず、バンド掛けができる。また、オートリターンで収納できるので、手間がかからず効率的である。
【００３７】
図１２及び図１３は、本発明の巻取り装置付きバンドの設置例を示している。
図１２は、サポータ付きパレットの支柱組込みタイプの設置例である。
サポータ１１０は、図１２（Ａ）に示すように、パレット１２０の４隅に立設された４本の支柱１１１，１１２，１１３，１１４と、対角線上に位置する支柱１１１，１１３；１１２，１１４の上端を連結するＸ字状に連結するはり部１１５，１１６とを備えている。
この例では、図１１（Ａ）と同様に、巻取り装置２０を一つの支柱１１１の中途部に予め組み込んだものである。すなわち、上部支柱１１１ａと下部支柱１１１ｂの間に巻取り装置２０が固定される。図１２（Ａ）では、巻取り装置２０の詳細構成は省略している。
【００３８】
巻取り装置２０は、図１２（Ｂ）に示すように、ロール軸３４，３４を両隣の支柱１１２，１１４のうち一方の支柱１１２と対向するように、ハンドル７１を他方の支柱１１４と対向するように配置されている。
バンド１０の巻き掛け作業は、ハンドル７１をロック開放位置とした状態で、バンド１０をロール軸３４，３４の間から引き出し、各支柱１１２，１１３，１１４の外周に巻き掛け、折り返し分を考慮して引き出し長さを決め、ハンドル７１をロック位置に切り替えてロックする。ロックしたら、ハンドル７１にバンド１０の先端部１４をくぐらせて折り返すことにより締め付け、折り返し部分を巻き掛けたバンド部分に重ねて面状ファスナ１１によって接着固定する。固定した時点で、セイフティロック機構８０のロックピン８２を押し込んでロックする。
【００３９】
少量の荷物の時は、たとえば、図１２（Ｃ）に示すように、支柱１１４を外して支柱１１２，１１３のみに巻き掛けるというように狭い範囲を固定することができる。
また、図１２（Ｄ）に示すように、バンド１０の先端部１４をハンドル７１に掛けないで、支柱を利用してバンドの先端部１４を接着固定することもできる。図示例では、バンド１０を支柱１１３に掛けて反転させて折り返し、折り返し部裏面をバンド表面に接着固定している。
【００４０】
図１３（Ａ）は、サポート付きパレットの支柱１１１に、ブラケット１３０を介して巻取り装置２０を後付けで支柱１１１に取り付けたものである。
ブラケット１３０はＬ形のブラケットで、一方の固定片を取付けベース部材３８に、他方の固定片を支柱に取り付けている。図示例では、支柱１１１に対する固定片を外向きに固定した例であるが、同図（Ｂ）に示すように、ブラケット１３０の各固定片を内向きに配置した構成としてもよい。また、同図（Ｃ）に示すようなコ字形状のブラケット１４０を用いてもよい。
【００４１】
図１３（Ｄ）は、巻取り装置２０を、吊り輪付きブラケット１５０を介してサポータ付きパレットのサポータのはり部１１５に吊り下げた構成である。図示例の場合、サポータ内側に積まれた荷物の外周にバンドが巻きつけられる。
吊り輪付きブラケット１５０は、図１３（Ｅ）に示すように、取り付けベース部材３８に固定されるブラケット１５１に半円形状の吊り輪１５２が取り付けられたもので、つりバンド１５３が引っ掛けられている。また、上下の吊り輪付きブラケット１５０が当て板１５４によって連結されている。当て板１５４はＬ字形状で、荷物の角に当てがうようになっている。  
【００４２】
図１３（Ｆ）は、台車１６０の手押しバー１６１に設けられた背板１６２の上端に、引っ掛けた設置例を示している。
巻取り装置２０上部の取付ベース部材３８に引っ掛け用ブラケット１７０を取付け、巻取り装置２０下部の取付ベース部材３８にＬ形のブラケット１３０を取り付けたものである。
引っ掛け用ブラケット１７０は、図１３（Ｇ）に示すように、取付ベース部材３８に固定されたブラケット１７１に引っ掛け用のＵ字形状のフック１７２を一体的に設けたものである
【００４３】
図１３（Ｈ）は、通常パレット１８０への設置例である
通常パレット１８０の上面の一側には、Ｌ形のブラケット１３０を介して巻取り装置２０が横置きで取り付られ、他側に折り返しバー１８１が取り付けられている。
バンド１０は巻取り装置２０から引き出され、荷物の上面を通常パレット１８０の上面に押さえる構成である。
このように、取り付けブラケットを変化させることで、種々の機器，設備に設置可能であり、設置さえできれば、機器の一部として手軽、簡単に使用でき、作業効率を高めることができる。また、作業の安全、確実さも向上する。
【００４４】
図１２，図１３では、サポーター付きパレット，台車，通常パレットに設置した例を示したが、六輪カートなどの他の流通機器や転倒防止用としても利用することができ、枠、柱、プレート等の巻取り装置取付け箇所を有する機器，設備などであればどこでも設置可能である。
【図面の簡単な説明】
【００４５】
【図１】図１は本発明の一実施例に係る巻取り装置付きバンドを示すもので、同図（Ａ）は巻取り装置の基本的な構成の斜視図、同図（Ｂ）は同図（Ａ）のＡ−Ａ′線に沿う断面図、同図（Ｃ）は同図（Ａ）の巻取り装置にバンドを装着した全体構成の斜視図である。
【図２】図２は図１の巻取り装置の概略分解斜視図である。
【図３】図３（Ａ）は図１（Ａ）の巻取り装置の切替操作機構を取り外した状態の縦断面図、同図（Ｂ）は同図（Ａ）の第２ホルダ部分の概略分解斜視図、同図（Ｃ）は同図（Ａ）のバンド軸の分解斜視図、同図（Ｄ）は同図（Ａ）の第２ホルダを外端面側から見た斜視図、同図（Ｅ）は同図（Ａ）の第１ホルダの外端面側から見た斜視図である。
【図４】図４は図３の第２ホルダ部分の一部を破断して内部構造を示す概略斜視図である。
【図５】図５（Ａ）は図１（Ａ）の巻取り装置に取付ベース部材を取り付けた状態の概略斜視図、同図（Ｂ）は同図（Ａ）にバンドを装着した全体構成の斜視図である。
【図６】図６はテンション付与機構を示すもので、同図（Ａ）は組立状態の概略斜視図、同図（Ｂ）は分解斜視図、同図（Ｃ）は可動カラーの斜視図である。
【図７】図７は回転ロック機構の構成を断面にして示す図である。
【図８】図８は切替操作機構を示すもので、同図（Ａ）はロック開放位置に切り替えた状態の概略斜視図、同図（Ｂ）はロック位置に切り替えた状態の概略斜視図である。
【図９】図９はセイフティロック機構を示すもので、同図（Ａ）はロック状態の斜視図、同図（Ｂ）はロック開放状態の斜視図、同図（Ｃ）は同図（Ａ）の縦断面図である。
【図１０】図１０（Ａ）乃至（Ｇ）は巻取り装置にバンドを装着する手順を示す説明図である。
【図１１】図１１（Ａ）は本発明の巻取り装置付きバンドの取付例を示し、同図（Ｂ）乃至（Ｆ）はバンドの使用方法の説明図である。
【図１２】図１２は本発明の巻取り装置付きバンドをサポート付きパレットに設置した例で、同図（Ａ）は全体斜視図、同図（Ｂ）乃至（Ｄ）はバンド締め付け例を示す図である。
【図１３】図１３は本発明の巻取り装置付きバンドの他の取付例を示すもので、同図（Ａ）は図１２のサポート付きパレットに巻取り装置を取付ブラケットによって後付けする例を示す部分斜視図、同図（Ｂ），（Ｃ）は同図（Ａ）の取付ブラケットの他の例を示す斜視図、同図（Ｄ）は本発明の巻取り装置付きバンドをサポート付きパレットのサポート部材に吊り下げた取付例を示す全体斜視図、同図（Ｅ）は同図（Ｄ）の吊り下げ用の取付ブラケットを示す斜視図、同図（Ｆ）は本発明の巻取り装置付きバンドを台車の手押し部に引っ掛けた取付例を示す斜視図、同図（Ｇ）は同図（Ｆ）の引っ掛け用のブラケットの斜視図、同図（Ｈ）は本発明の巻取り装置付きバンドをパレット自体に取り付けた設置例を示す斜視図である。
【符号の説明】
【００４６】
１  巻取り装置付きバンド
１０  バンド
１１  面状ファスナ
２０  巻取り装置
３０  装置本体
３１  第１ホルダ
３２  第２ホルダ
３３  支柱
３５  端壁
３６  周壁部
３６１  第１段部
３６２  第２段部
３６３  第３段部
３６４  長孔  
３７  回転受け
３７１  穴
３８  取り付けベース部材
４０  バンド軸
４１  第１プラグ
４１１  回転軸部
４１２  嵌着部
４１３  フランジ部
４２  第２プラグ
４２１  回転軸部
４２２  嵌着部
４２３  フランジ部
４２４  シャフト穴
４５  弛み止めシャフト
５０  テンション付与機構
５１  シャフト
５２  コイルスプリング
５３  移動カラー
５３１  スプリング嵌着部
５３２  回り止め部
５３３  凸部
５３４  突片
５４  固定カラー
５５  ボルト
５６  回り止めピン
５７  クリップ
６０  回転ロック機構
６１  ストッパ付きカラー
６２  ストッパ部
６３  爪部材
６３１  ロック開放爪部
６３１ａ  係合凸部
６３２  ロック用爪部
６３２ａ  係合凸部
６４  ロック部
６５  回転カラー
６６  支軸
７０  切り替え操作機構
７１  ハンドル
７１１  第１片部
７１２  屈曲片部
７１３  第２片部
７２  ハンドルレバー    
７５  レバー受け
７６  支軸
８０  セイフティロック機構
８１  ロックホルダ
８１１  円筒部、８１２  固定片
８２  ロックピン
８２１  ピン先端部
８３  ロックハンドル
８４  スプリング
８５  セットピン
８６  ロック用スリット
８７  開放用スリット
９０  ハンドル位置保持機構
９１  保持レバー
９２  保持スプリング
９３  ロック側ストッパピン
９４  ロック開放側ストッパピン
【図１】
2007204121.tif 000003
【図２】
2007204121.tif 000004
【図３】
2007204121.tif 000005
【図４】
2007204121.tif 000006
【図５】
2007204121.tif 000007
【図６】
2007204121.tif 000008
【図７】
2007204121.tif 000009
【図８】
2007204121.tif 000010
【図９】
2007204121.tif 000011
【図１０】
2007204121.tif 000012
【図１１】
2007204121.tif 000013
【図１２】
2007204121.tif 000014
【図１３】
2007204121.tif 000015